(57)【要約】【課題】  電子機器の記録メディアに記録されたデータを他の機器に簡単に転送できるようにする。【解決手段】  電子機器である電子カメラ装置１００にコネクタ１１７を設け、このコネクタ１１７によって、２台の電子カメラ装置を電気的かつ機械的に結合して、両電子カメラ装置をデータ転送モードに設定する。さらに、転送元のカメラ装置が転送先のカメラ装置に対して、転送元のカメラ装置固有の転送履歴データを要求し、履歴データが存在すればその履歴情報データを受け取り、存在しなければ履歴なし情報を受け取る。受け取った情報に基づいて、記録メディアに記録されているデータの内、転送先カメラ装置に転送済でないデータを特定して、転送先カメラ装置に転送し、さらに転送先カメラの転送履歴を更新し、または履歴データを転送先カメラ装置に新規登録する。【選択図】  図９
2005318260.tif 000002
【特許請求の範囲】
【請求項１】
記録メディアに対して画像データまたは音声データあるいはその両方のデータを記録し
再生する記録再生手段と、
記録メディアに対して画像データまたは音声データあるいはその両方のデータを記録し
再生する記録再生手段及び接続子を備えた外部機器の前記接続子と、機構的かつ電気的に
結合する接続子を含む外部接続機構と、
当該外部接続機構によって前記外部機器と結合されたことを検出して前記外部機器との
間で前記データの転送を許容し、前記データの外部機器への転送あるいは外部機器からの
受信を実行させる制御手段と、
を備えたことを特徴とする電子機器。
【請求項２】
記録メディアに対して、画像データまたは音声データあるいはその両方のデータを記録
し、再生する記録再生手段と、
外部機器に設けられた第１の接続子と機構的かつ電気的に結合する第２の接続子と、前
記外部機器に設けられた第３の接続子と機構的かつ電気的に結合する第４の接続子とを含
む外部接続機構と、
前記第２または第４の接続子が前記外部機器の前記第１または第３の接続子に接続され
た際に、前記外部機器との間で前記データの転送を許容するとともに、前記第２または第
４の接続子のいずれが接続されたかによって、当該接続子を介してデータを送り出すか、
受けるかを設定する制御手段と、
を備えたことを特徴とする電子機器。
【請求項３】
前記第２の接続子は、前記外部機器の第３の接続子と同構造に構成され、前記第４の端
子は、前記外部機器の第１の接続子と同構造に構成されていることを特徴とする請求項２
に記載の電子機器。
【請求項４】
前記第２の接続子は電子機器本体から突出して前記外部機器の第１の接続子と結合する
凸型接続子として構成され、前記第４の接続子は前記外部機器の第３の接続子を受けて結
合する凹型接続子として構成されていることを特徴とする請求項２または３に記載の電子
機器。
【請求項５】
前記制御手段は、前記第２または第４の接続子が前記外部機器の接続子と結合したこと
を検出する手段を含み、検出された際に、自動的に前記データの転送を許容するモードに
設定するものであることを特徴とする請求項２乃至４のいずれかに記載の電子機器。
【請求項６】
前記制御手段は前記外部機器との間でデータの転送を許容するモードを設定した後、前
記外部機器から、転送履歴情報を取得し、当該転送履歴情報に基づいて前記転送するデー
タを特定するものであることを特徴とする請求項１乃至５のいずれかに記載の電子機器。
【請求項７】
記録メディアに対して、画像データまたは音声データあるいはその両方のデータを記録
し、再生する記録再生手段と、第１及び第２の接続子でなる外部接続機構を備えた第１の
電子機器と、
記録メディアに対して、画像データまたは音声データあるいはその両方のデータを記録
し、再生する記録再生手段と、前記第１の接続子と機構的かつ電気的に結合する第３の接
続子及び前記第２の接続子と機構的かつ電気的に結合する第４の接続子でなる外部接続機
構とを備えた第２の電子機器と、
前記第１の電子機器及び第２の電子機器のいずれか一方または両方に設けられ、前記第
１または第３の接続子が前記第２または第４の接続子に接続された際に、前記第１及び第
２の電子機器間で前記データの転送を許容するとともに、前記第１の接続子と前記第３の
接続子の組、または前記第２の接続子と前記第４の接続子の組のいずれが結合されたかに
よって、前記第１及び第２の電子機器の一方をデータ転送元とし、他方をデータ転送先と
して設定する制御手段と、
を備えたことを特徴とする電子機器のデータ転送システム。
【請求項８】
前記第２の接続子は、前記外部機器の第３の接続子と同構造に構成され、前記第４の端
子は、前記外部機器の第１の接続子と同構造に構成されていることを特徴とする請求項５
に記載の電子機器のデータ転送システム。
【請求項９】
前記第２の接続子は電子機器本体から突出して前記外部機器の第１の接続子と結合する
凸型接続子として構成され、前記第４の接続子は前記外部機器の第３の接続子を受けて結
合する凹型接続子として構成されていることを特徴とする請求項２または３に記載の電子
機器。
【請求項１０】
前記制御手段は、前記接続子が結合されたことを検出する手段を含み、検出された際に
、自動的に前記データの転送を許容するモードに設定するものであることを特徴とする請
求項５または６に記載の電子機器のデータ転送システム。
【請求項１１】
前記制御手段は前記第１及び第２の電子機器間でデータの転送を許容するモードを設定
した後、前記データ転送先として設定された電子機器から、転送履歴情報を取得し、当該
転送履歴情報に基づいて前記転送するデータを特定するものであることを特徴とする請求
項５乃至７のいずれかに記載の電子機器のデータ転送システム。
【請求項１２】
互いに記録メディアに対して画像データまたは音声データあるいはその両方のデータを
記録し再生する記録再生手段と外部接続機構とを備えた第１及び第２の電子機器とを前記
接続子で機構的かつ電気的に結合するステップと、
前記接続子の結合を検出して、前記第１及び第２の電子機器を互いにデータの転送を許
容起用するモードに設定すると共に、前記データを第１の電子機器から第２の電子機器へ
転送させるかまたは第２の電子機器から第１の電子機器へ転送させるステップと、
でなることを特徴とする電子機器のデータ転送方法。
【発明の詳細な説明】
【技術分野】
【０００１】
本発明は、電子カメラ装置等のデータを記録メディアに記録する機能を備えた電子機器
に関し、特に、記録メディアに記録された画像データ、音声データ等のデータを他の電子
機器の記録メディアに転送できるようにした電子機器、電子機器のデータ転送システム及
びデータ転送方法に関する。
【背景技術】
【０００２】
撮影素子として、ＣＣＤ（Charge Coupled Device）等の個体撮影素子を用い、撮影し
た画像データあるいは音声データをフラッシュメモリ等の不揮発性メモリカードを記録メ
ディアとして記録するようにした電子カメラ装置が市場に登場して久しいが、撮影素子の
高解像度化、記録メディアの大容量化が進み、最近では、静止画像データだけでなく、動
画像データ、音声データも記録メディアに記録させる機能を持った製品が市場に提供され
つつある。
【０００３】
一般に、このような電子カメラ装置においては、記録メディアに保存したデータを、他
の電子カメラとの間で交換しようとする場合、まず、それぞれの電子カメラに装着されて
いる記録メディアとしての例えばメモリカードを、本体から引き抜き、それぞれ他方の電
子カメラ装置に装着して、メモリカードのコピーしようとするデータを内蔵メモリにコピ
ーしてから、メモリカードを引き抜いて、元のメモリカードを再び装着して、内蔵メモリ
にコピーされたデータをメモリカードに移し変えるという操作を行うか、あるいはパソコ
ン用いてコピーする等の方法しかなく、操作性がいいとはいえなかった。
【０００４】
また、記録メディアに記録されているデータを通信手段を介して外部機器に転送すると
いう試みもなされている（例えば特許文献１，２）がこの場合、通信手段が必要であるた
め、構成が複雑になって操作性がいいとはいえない。
【特許文献１】特開２００４−７８０５号公報
【特許文献２】特開平１０−３４１３８８号公報
【発明の開示】
【発明が解決しようとする課題】
【０００５】
以上のように、従来、電子カメラ装置において、記録メディアに記憶した画像データを
他のメモリカードにコピーしようとした場合、複雑な操作を強いられて操作性がよくない
という問題を有していた。
【０００６】
本発明は、以上の点に鑑みてなされたものであり、記録メディアを記録媒体とする電子
カメラ装置等の電子機器同士を機械的かつ電気的に結合する手段で接続して、記録メディ
アに記録されたデータを、他方の電子機器の記録メディアに直接的に転送できるよう構成
することで、操作性に優れた電子機器及び電子機器のデータ転送システムを提供すること
を目的とする。
【課題を解決するための手段】
【０００７】
本発明の電子機器は、記録メディアに対して画像データまたは音声データあるいはその
両方のデータを記録し再生する記録再生手段と、記録メディアに対して画像データまたは
音声データあるいはその両方のデータを記録し再生する記録再生手段及び接続子を備えた
外部機器の前記接続子と、機構的かつ電気的に結合する接続子を含む外部接続機構と、当
該外部接続機構によって前記外部機器と結合されたことを検出して前記外部機器との間で
前記データの転送を許容し、前記データの外部機器への転送あるいは外部機器からの受信
を実行させる制御手段と、を備えたことを特徴とする。
【０００８】
本発明の電子機器は、記録メディアに対して、画像データまたは音声データあるいはそ
の両方のデータを記録し、再生する記録再生手段と、外部機器に設けられた第１の接続子
と機構的かつ電気的に結合する第２の接続子と、前記外部機器に設けられた第３の接続子
と機構的かつ電気的に結合する第４の接続子とを含む外部接続機構と、前記第２または第
４の接続子が前記外部機器の前記第１または第３の接続子に接続された際に、前記外部機
器との間で前記データの転送を許容するとともに、前記第２または第４の接続子のいずれ
が接続されたかによって、該接続子を介してデータを送り出すか、受けるかを設定する制
御手段と、を備えたことを特徴とする。
【０００９】
本発明の電子機器のデータ転送システムは、記録メディアに対して、画像データまたは
音声データあるいはその両方のデータを記録し、再生する記録再生手段と、第１及び第２
の接続子でなる外部接続機構を備えた第１の電子機器と、記録メディアに対して、画像デ
ータまたは音声データあるいはその両方のデータを記録し、再生する記録再生手段と、前
記第１の接続子と機構的かつ電気的に結合する第３の接続子及び前記第２の接続子と機構
的かつ電気的に結合する第４の接続子でなる外部接続機構とを備えた第２の電子機器と、
前記第１の電子機器及び第２の電子機器のいずれか一方または両方に設けられ、前記第１
または第３の接続子が前記第２または第４の接続子に接続された際に、前記第１及び第２
の電子機器間で前記データの転送を許容するとともに、前記第１の接続子と前記第３の接
続子の組、または前記第２の接続子と前記第４の接続子の組のいずれが結合されたかによ
って、前記第１及び第２の電子機器の一方をデータ転送元とし、他方をデータ転送先とし
て設定する制御手段と、を備えたことを特徴とする。
【００１０】
本発明の電子機器のデータ転送方法は、互いに記録メディアに対して画像データまたは
音声データあるいはその両方のデータを記録し再生する記録再生手段と外部接続機構とを
備えた第１及び第２の電子機器とを前記接続子で機構的かつ電気的に結合するステップと
、前記接続子の結合を検出して、前記第１及び第２の電子機器を互いにデータの転送を許
容起用するモードに設定すると共に、前記データを第１の電子機器から第２の電子機器へ
転送させるかまたは第２の電子機器から第１の電子機器へ転送させるステップと、でなる
ことを特徴とする。
【発明の効果】
【００１１】
本発明によれば、記録メディアに記録されたデータを簡単に他の記録メディアに転送す
ることができるものである。
【発明を実施するための最良の形態】
【００１２】
以下、図面を参照しながら本発明の電子機器の一実施の形態を詳細に説明する。  
図１は、本発明の電子機器としての電子カメラ装置１００の構成を示す回路ブロック図
である。  
図１において、１０１はレンズを有する光学系であり、ＣＣＤ（Charge Coupled Devic
e）を撮像素子とするＣＣＤ撮像部１０２の光電変換面に光学像を結像する。ＣＣＤ撮像
部１０２は、光電変換面に結像された光学像を電気信号に変換して撮像信号として出力す
る。Ａ／Ｄ（Analog Digital）変換部１０３は、ＣＣＤ撮像部１０２から出力される撮像
信号をデジタル信号に変換し、ＣＣＤ信号処理部１０４に導出する。ＣＣＤ信号処理部１
０４は、Ａ／Ｄ変換部１０３からの撮像信号に対して、ホワイトバランス調整処理、ガン
マ補正処理、補間処理、色変換処理等の処理を施して画像信号として出力する。
【００１３】
ＣＣＤ信号処理部１０４から出力される画像信号は、メモリコントローラ１０５に供給
され、メモリコントローラ１０５に接続されているワークメモリ１０６に一旦保存される
。ワークメモリ１０６に保存された画像信号は、メモリコントローラ１０５を介して画像
処理部１０７に供給されてここで、例えば標準テレビジョン信号等の映像信号に変換され
て、表示部１０８で表示される。
【００１４】
表示部１０８は、例えば数インチの大きさのＬＣＤ（Liquid Crystal Display）であり
、以上説明した処理によって、ＣＣＤ撮像部１０２で撮影された画像をモニタすることが
できる。
【００１５】
さらに、メモリコントローラ１０５には、画像圧縮／伸張処理部１０９が接続されてお
り、この画像圧縮／伸張処理部１０９は、ワークメモリ１０６に保存されたＣＣＤ信号処
理部１０４からの画像信号を例えばＪＰＥＧ（Joint Photographic Experts Group）ある
いはＭＰＥＧ（Moving Picture Experts Group）規格に基づいて圧縮（エンコード）処理
を施す。あるいは、後述する記録メディアから再生された圧縮データを、伸張（デコード
）する処理を施す。
【００１６】
画像圧縮／伸張処理部１０９はその処理を実行する際に、メモリコントローラ１０５を
利用するものであり、メモリコントローラ１０５はその場合、ＤＳＰ（Digital Signal P
rocessor）として機能する。画像信号の圧縮／伸張処理を実行するために、画像圧縮／伸
張処理部１０９及びメモリコントローラ１０５はＣＰＵ（Central Processing Unit）１
１０によって制御される。
【００１７】
ＣＰＵ１１０は、電子カメラ装置１００全体の動作、機能の管理を行なうものであり、
画像の撮像及び前述の画像圧縮／伸張を含む画像信号の処理を制御すると共に、後述する
記録メディアへのデータの記録再生処理を制御し、音声信号処理を制御し、またユーザの
操作に基づく処理を制御し、さらに本発明の要部を構成する後述するコネクタによる他の
電子カメラ装置との接続処理を制御するものである。
【００１８】
このため、ＣＰＵ１１０は、メモリコントローラ１０５及び画像圧縮／伸張処理部１０
９の他、光学系１０１、ＣＣＤ撮像部１０２、ＣＣＤ信号処理部１０４に接続されている
。
【００１９】
光学系１０１については、ＣＰＵ１１０によって、例えば光学ズーム倍率の調整、絞り
調整等が行われ、ＣＣＤ撮像部１０２に対しては、電子シャッタ駆動制御、ＣＣＤ駆動制
御等が実行され、ＣＣＤ信号処理部１０４については、自動ホワイトバランス調整、色変
換等の制御が行なわれる。
【００２０】
ＣＰＵ１１０は、さらに、記録メディアＩ／Ｆ（Interface）１１１を介してフラッシ
ュメモリ等で構成される記録メディア１１２に接続され、記録メディア１１２に対するデ
ータの書き込み、読み出しを制御する。
【００２１】
さらにＣＰＵ１１０は、音声入出力処理部１１３を介してマイク１１４とスピーカ１１
５が接続され、マイク１１４でピックアップされた音声データの記録メディア１１２への
書き込みと、記録メディア１１２から再生された音声データのスピーカ１１５からの再生
を制御する。
【００２２】
音声入出力処理部１１３は、ＣＰＵ１１０の制御の下、マイクからの音声信号を一定レ
ベルに制御する自動利得制御回路と、レベル制御された音声信号をデジタル信号に変換す
る変換器と、記録メディア１１２から再生された音声データに対して音量調整等の処理を
施す利得調整回路と、デジタル信号をアナログ信号に変換する変換器と、スピーカ１１４
を駆動するための音声出力回路等を含む。
【００２３】
記録メディア１１２は、例えば、電子カメラ装置１００に対して着脱自在に構成された
リムーバルメディアであり、ＣＰＵ１１０の制御の下、例えばＤＣＦ（Design rule for 
Camera File system）に準じたファイルシステムで管理されるデジタルカメラ用画像ファ
イルフォーマット規格であるＥｘｉｆ（Exchangeable Image File Format）に基づくフォ
ーマットで、データをファイルとして記録し、かつ再生する。
【００２４】
さらにＣＰＵ１１０には、カメラ接続Ｉ／Ｆ１１６を介してコネクタ１１７が接続され
ている。コネクタ１１７は、他の電子カメラのコネクタと接続されて、データのを送受信
を実行するものであり、ＣＰＵ１１０は、その処理を管理するものであるが詳細は後述す
る。
【００２５】
さらにＣＰＵ１１０には、ユーザが操作する複数の操作ボタンで構成される操作部１１
８が接続されている。操作ボタンとしては、シャッターを駆動するためのシャツターボタ
ン、静止画を撮影するのか動画を撮影するのか等撮影のモードを切換えるモード切換えボ
タン、設定メニューを表示させるためのメニューボタン、記録した画像データを再生する
再生ボタン、カーソル移動、項目選択等に適用される十字ボタン等を含む。
【００２６】
ＣＰＵ１１０の以上の処理は、所定のプログラムに基づいて実行されるものであり、Ｃ
ＰＵ１１０は、内部にそのプログラムを保存するためのＲＯＭ（Read Only Memory）と、
ワークメモリとしてのＲＡＭ（Random Access Memory）が設けられ、さらに設定データ等
を保存するための不揮発性メモリも設けられている。
【００２７】
以上のように構成される電子カメラ装置１００において、まず基本的な動作について説
明する。
【００２８】
ユーザは、最初に操作部１１８の所定のボタンを操作して、電子カメラ装置１００を例
えば、静止画像撮影モードに設定する。その後、前述したように、ＣＣＤ撮像部１０２で
撮影されている信号を、Ａ／Ｄ変換部１０３、ＣＣＤ処理部１０４、メモリコントローラ
１０５及び画像処理部１０７を経て、表示部１０８で表示してモニタに供している状態に
おいて、操作部１１８のシャッターボタンを押すと、ＣＰＵ１１０は、ＣＣＤ撮像部１０
３に蓄積された電荷を一旦クリアして、その後新たに蓄積された電荷を一画面分、順次、
撮像信号として出力し、それが、Ａ／Ｄ変換部１０３、ＣＣＤ処理部１０４で処理を受け
て、画像信号としてメモリコントローラ１０５を介してワークメモリ１０６に一旦蓄積さ
れる。
【００２９】
次に、ＣＰＵ１１０は、メモリコントローラ１０５と画像圧縮／伸張処理部１０９を駆
使して、ワークメモリ１０６に蓄積されている画像信号をＪＰＥＧ規格に基づいて圧縮し
、圧縮した画像データをメモリコントローラ１０５を介して取り込んで、記録メディアＩ
／Ｆ１１１を介して記録メディア１１２にＥｘｉｆファイルとして書き込む。
【００３０】
以上によって、静止画像の記録処理が完了する。記録した静止画像を再生するには、ユ
ーザが操作部１１８の再生ボタンを操作すると、それによって、ＣＰＵ１１０は、記録メ
ディアＩ／Ｆ１１１を駆使して、記録メディア１１２に記録されている静止画データのフ
ァイルの一覧情報を読み出して、これをメモリコントローラ１０５から画像表示部１０７
に送って、表示用の信号に変換して、リストとして表示部１０８に表示させる。
【００３１】
このリストは、ＧＵＩ（Graphical User Interface）形式で構成されており、ユーザは
、操作部１１８の例えば十字ボタンを操作して、リストから再生したいファイルを選択し
て、決定ボタンを操作する。
【００３２】
ＣＰＵ１１０は、それによって、記録メディアＩ／Ｆ１１１を駆使して、選択されたフ
ァイルを記録メディア１１２から読み出して取り込み、さらにメモリコントローラ１０５
を介してワークメモリ１０６に記憶させる。
【００３３】
さらに、ＣＰＵ１１０は、メモリコントローラ１０５と画像圧縮／伸張処理部１０９を
駆使して、ワークメモリ１０６に蓄積された画像データの伸張（デコード）処理を実行し
、伸張した画像データをワークメモリ１０６に記憶させる。次いで、ＣＰＵ１１０は、ワ
ークメモリ１０６から画像データを読み出して、メモリコントローラ１０５を介して画像
表示処理部１０７に送り、表示のための処理を施して表示部１０８で表示させる。
【００３４】
次に動画像を記録する場合には、ユーザは操作部１１８のモード切換えボタンによって
、動画モードに設定し、シャッターボタンを押す。  
ＣＰＵ１１０はそれを受けて、ＣＣＤ撮影部１０２で撮影され、Ａ／Ｄ変換部１０３、
ＣＣＤ信号処理部１０４、メモリコントローラ１０５を介してワークメモリに蓄積されて
いる画像信号に対して、メモリコントローラ１０５と画像圧縮／伸張処理部１０９によっ
てＭＰＥＧ規格に基づく圧縮処理を施す。
【００３５】
さらに、このときＣＰＵ１１０は、マイク１１４でピックアップされ、音声入出力処理
部でデジタル信号に変換された音声信号に対して、圧縮処理を施して、圧縮処理された動
画像信号とマルチプレクスして所定のフォーマットに纏め、記録メディアＩ／Ｆ１１１に
出力し、記録メディアＩ／Ｆ１１１を介して、記録メディア１１２にファイルとして記録
する。
【００３６】
以上の処理は、次にシャッターボタンが操作されるまで継続的に実行され、シャッター
ボタンが操作されると、ＣＰＵ１１０は、記録メディア１１２への記録を停止させる。そ
れによって、記録メディア１１２に動画像及び音声データのファイルが記録されることに
なる。おな、音声信号については、必ずしも動画像信号と一緒に記録しなくてはならない
というものではなく、動画像のみで記録してもよく、あるいは音声信号のみをファイルと
して記録するようにしてもよいものである。
【００３７】
以上のようにして記録メディア１１２に記録された、音声信号が添付された動画像信号
を再生する場合には、ユーザは、再生ボタンを押す。それによって、ＣＰＵ１１０は、記
録メディア１１２から、動画像ファイルの一覧を読み出して、これをメモリコントローラ
１０５を介して画像表示処理部１０７に送り、ＧＵＩ形式の表示用の画像信号に変換して
表示部１０８で表示させる。
【００３８】
ユーザは、操作部１１８の例えば十字ボタンを操作して、表示されたリストから所望の
ファイルを選択して、決定ボタンを操作する。それによって、ＣＰＵ１１０は、選択され
たファイルを記録メディア１１２から読み出して、デマルチプレクス処理によって圧縮動
画像データを分離し、メモリコントローラ１０５を介して順次ワークメモリ１０６に記憶
させつつ、画像圧縮／伸張処理部１０９を駆使して、それを伸張して非圧縮の画像信号と
して順次ワークメモリ１０６に記憶させていく。同時に、ワークメモリ１０６から非圧縮
の動画像信号を順次読み出して、メモリコントローラ１０５を介して画像表示処理部１０
７に送り、表示用の映像信号に変換して、表示部１０８で動画像として表示させる。
【００３９】
同時にＣＰＵ１１０は、記録メディア１１２から、読み出されたファイルのデータから
デマルチプレクス処理によって圧縮音声データを抽出し、これを伸張して音声入出力処理
部１１３に送り、でアナログ信号に変換して、スピーカ１１４から音声として出力する。
【００４０】
以上の処理によって音声付の動画像の再生が実行される。  
さて、次に本発明の要部であるコネクタ１１７及びカメラ接続Ｉ／Ｆについて説明する
。コネクタ１１７は、電子カメラ装置の本体筐体に対して、収容された状態と、先端が筐
体から突出する位置間で移動するように形成された凸型接続子と、この凸型接続子が嵌合
される凹型接続子とでなる。
【００４１】
図２は、電子カメラ装置１００の外観を示す斜視図であり、筐体２０１の前面に光学系
１０１の一部を構成するレンズ２０２と、光学ファインダー２０３が設けられ、筐体２０
１の頂部表面にシャッターボタン２０４が設けられると共に、コネクタ１１７を収容する
収容部を覆う蓋部材２０５が頂部表面の長手方向にスライド自在に設けられている。
【００４２】
図３は、電子カメラ装置１００を筐体裏面側から見た図であり、コネクタ１１７を構成
する凸型接続子３０１と、凹型接続子３０２が、筐体内部のコネクタ収容部３０３に配置
されている様子も点線で示している。
【００４３】
図３において、図１，２と同一構成部分に同一符号を付す。１０８は表示部であり、Ｌ
ＣＤパネルで構成されている。図３には、光学ファインダー２０３とシャッターボタン２
０４と蓋部材２０５も示されている。
【００４４】
筐体２０１の裏面には、コネクタ１１７の凸型接続子３０１に対応して開口部３０４が
形成されており、凸型接続子３０１は、この開口部３０４から突出するように操作子３０
５が一体的に設けられている。それによって、蓋部材２０５を図中Ａ方向にスライドさせ
て、コネクタ収容部３０３を露出させた状態で、ユーザは、操作子３０５を頂部表面方向
に押し上げて、コネクタ１１７の凸型接続子３０１を、頂部表面から突出させることが可
能である。
【００４５】
さらにコネクタ１１７とコネクタ収容部３０３の詳細な構造に付いて、説明する。図４
は、凸型接続子３０１と、コネクタ収容部３０３を筐体側面側から見た状態を一部断面で
示す図であり、図１〜３と同一構成部分に同一符号を付す。
【００４６】
凸型接続子３０１は、樹脂を素材として形成され、その先端には内方向に傾斜するテー
パが設けられ、反対側の基端部には、径方向に突出する鍔部４０１が形成されている。テ
ーパが設けられた先端部の内部は、中空部４０２として形成され、中空部４０２内に、接
続用の導電性の複数のピン４０３が、先端を蓋部材２０５方向に向けて設けられている。
【００４７】
さらに凸型接続子３０１の中間部表面には、基端方向に延びる弾性片４０４が形成され
ている。弾性片４０４は、その基端が凸型接続子３０１の先端部側の所定位置に固定され
、鍔部４０１側に延びる先端は自由端となっており、対向する凸型接続子３０１の表面に
設けられた溝部４０５内に収容されるように配置されている。弾性片４０４は自身の素材
が持つ弾性を備え、溝部４０５の深さ方向（凸型接続子３０１の径方向）に力を加えると
撓み、力を除くと弾性力で元に戻るように形成されている。
【００４８】
弾性片４０４の表面には、その先端部付近に、操作子３０５が、開口部３０４を貫通し
て突出するように一体的に形成されている。さらに、弾性片４０４の先端には、凸型接続
子３０１をコネクタ収納部３０３内に保持するための突起４０６が溝部４０５とは反対側
に突出するように形成されている。さらに、弾性片４０４の中間部所定位置には、凸型接
続子３０１を、筐体２０１の頂部表面から突出する位置で保持するための突起４０７が突
起４０６と同方向に突出するように形成されている。
【００４９】
筐体２０１の裏面内壁には、凸型接続子３０１をコネクタ収納部３０３内に保持するた
めに、突起４０６が係合する溝４０８が形成され、さらに、凸型接続子３０１が筐体２０
１から突出した位置で、突起４０７が係合する溝４０９が形成されている。さらに、筐体
２０１の裏面内壁には、凸型接続子３０１の突出位置の規制を行うために、鍔部４０１が
当接する段部４１０が形成されている。
【００５０】
図４は、凸型接続子３０１がコネクタ集要部３０３内に保持されている状態を示すもの
で、弾性片４０４の先端に設けられ突起４０６が溝４０８と係合している。
【００５１】
図４の状態から、ユーザが操作子３０５に筐体２０１内方向への力を加えると、弾性片
４０４が撓んで、突起４０６と溝４０８との係合が外れ、蓋部材２０５がスライドされて
コネクタ収容部３０３を露出されている状態で、操作子３０５を図中上方向に押し上げる
と、凸型接続子３０１が筐体２０１頂部表面から突出するようになる。
【００５２】
図５は、図４に示す状態を筐体２０１の裏面側から見た図である。図５において、図１
〜４と同一部分に同一符号を付す。  
凹型接続子３０２は、凹部５０１内に、図４に示す凸型接続子３０１の中空部４０２に
嵌合される端子保持部５０２を有しており、端子保持部５０２には、凸型接続子３０１の
ピン４０３が挿通される導電性の管状の端子５０３がピン４０３に対応するように設けら
れている。
【００５３】
凸型接続子３０１の先端部を、その中空部４０２が凹型接続子３０２の端子保持部５０
２と嵌合するように凹部５０１に差し込むと、ピン４０３が端子５０３内に挿通されて両
者が接触し、凸型接続子３０１と凹型接続子３０２との電気的かつ機械的結合が成立する
ことになる。
【００５４】
図６、図７は、凸型接続子３０１を筐体２０１頂部から突出させた状態を示すもので、
それぞれ図４と図５に対応している。図６，７において、図１〜５の構成部分と同一箇所
に同一符号を付す。
【００５５】
凸型接続子３０１が筐体２０１から突出している状態では、弾性片４０４の突起４０７
が筐体２０１内壁の溝４０９に係合しており、凸型接続子３０１の突出位置が保持される
。これによって、凹型接続子３０２との結合を可能にしている。
【００５６】
図６に示す状態において、操作子３０５を筐体２０１内方向に押せば、弾性片４０４が
撓んで、突起４０７と溝４０９との係合が解除され、凸型接続子３０１をコネクタ収容部
３０３内に収容させることができる。
【００５７】
本発明は、以上説明したように、凸型接続子３０１と凹型接続子３０２で構成されるコ
ネクタ１１７をそれぞれ備えた電子カメラ装置を、コネクタ１１７同士を結合させること
で、互いの記録メディアに記録されているデータを他方に伝送することを可能としたもの
であり、図８には、電子カメラ装置１００を２台用意し、互いのコネクタ１１７を結合さ
せた状態が示されている。
【００５８】
図８においては、図中下側の電子カメラ装置１００Ａのコネクタ１１７の凸型接続子３
０１が、他方の電子カメラ装置１００Ｂのコネクタ１１７の凹部５０１に嵌合された状態
が示されている。
【００５９】
次に、本発明のデータ転送処理について、図１に基づいて説明する。図８に示すように
２台の電子カメラ装置１００Ａ，Ｂが結合された場合、互いのＣＰＵ１１０は、コネクタ
１１７が他方のの電子カメラ装置のコネクタ１１７と結合されたことを判別し、それぞれ
自己の電子カメラ装置をデータ転送モードに設定する。
【００６０】
さらに、例えば、その結合に凸型接続子３０１が用いられているカメラ装置１００Ａは
、そのＣＰＵ１１０によって、データ転送元カメラに設定され、凹型接続子３０２が用い
られているカメラ装置１００Ｂは、そのＣＰＵ１１０によってデータ転送先カメラに設定
される。
【００６１】
データの転送処理は、例えばコネクタの結合が検出されたら、自動的に実行するように
設定することができるし、あるいは、データを選択してから転送するように設定すること
も可能である。いかなる手法を用いてデータ転送を実行させるかは、予め設定登録してお
くことが可能である。あるいは都度選択のための画面表示を行って選択するように構成す
ることもできる。
【００６２】
データ転送処理を自動で行う場合、転送元に設定されたカメラ装置１００Ａは、コネク
タ１１７の結合が検出された後、まず、転送先のカメラ装置１００Ｂの記録メディア１１
２あるいは内蔵メモリに、固有の転送履歴データが保存されているかを調べる。
【００６３】
自身の転送履歴データが保存されていることが検出されたら、その履歴データを取り込
んでＣＰＵ１１０内のメモリに一旦記憶させ、その履歴データに基づき、転送済のデータ
と未転送のデータを識別し、未転送のデータのみをカメラ装置１００Ｂに転送する。
【００６４】
相手側のカメラ装置１００Ｂは、送られたデータを記録メディア１１２に記録する。デ
ータの転送が完了したら、カメラ装置１００Ａは、ＣＰＵ１１０内に記憶された履歴デー
タを更新し、自身の固有情報と共に、相手側のカメラ装置１００Ｂに転送し、それを記録
させる。
【００６５】
また、転送先のカメラ装置１００Ｂに、転送元カメラ装置１００Ａの固有の履歴データ
が存在しない場合には、全てのデータを転送し、転送先カメラ装置１００Ｂでは、送られ
たデータを記録メディア１１２に記録する。データの転送が完了したら、カメラ装置１０
０Ａは新規に履歴データを作成して自身の固有情報と共に相手側のカメラ装置１００Ｂに
転送し、それを記録させる。
【００６６】
なお、各データが転送済か否かを特定する処理は、例えばＥｘｉｆのファイル名を用い
た管理によって実行することができるものである。
【００６７】
コネクタ１１７の結合を解くことで、両カメラ装置１００Ａ，Ｂの転送モードは解除さ
れる。  
以上の一連の処理手順を、図９のフローチャートで改めて説明する。図９において、ス
テップＳ９０１で開始され、ステップＳ９０２で、コネクタの結合が検出されたか否かの
判定がなされ、検出された場合、ステップＳ９０３で転送元カメラ装置１００Ａと、転送
先カメラ装置１００Ｂの特定が行われる。
【００６８】
次いで、ステップＳ９０４において、転送元カメラ装置１００Ａと転送先カメラ装置１
００Ｂの双方を転送モードに設定し、次いでステップＳ９０５において転送元カメラ装置
１００Ａから転送先カメラ装置１００Ｂに対して、転送元カメラ装置１００Ａに固有の履
歴データに関する照会が行われ、ステップＳ９０６で、その固有の履歴データが存在する
か否かの判定が行われる。
【００６９】
転送元カメラ装置１００Ａに関する固有の履歴データが存在すると判定された場合には
、ステップＳ９０７で、その履歴データに基づいて、未転送のデータを特定して、それを
転送先カメラ装置１００Ｂに転送する。
【００７０】
次いで、ステップＳ９０８でデータの転送が完了したか否かの判定が行われ、完了した
ら、ステップＳ９０９で、新規に転送したデータが含まれるようにカメラ装置１００Ｂの
履歴データを更新し、ステップＳ９１０で処理を終了する。
【００７１】
ステップＳ９０６で転送元カメラ装置１００Ａに固有の履歴データが存在しないと判定
されたら、ステップＳ９１１で、転送元カメラ装置１００Ａの記録メディア１１２に記録
されている全てのデータを転送先カメラ装置１００Ｂに転送する。ステップＳ９１２でデ
ータの転送が完了したことが判定されたら、ステップＳ９１３で転送したデータに関する
履歴データを新規に生成して、転送先カメラ装置１００Ｂに転送して記録させて処理を終
える。
【００７２】
以上説明した本発明の実施の形態によれば、電子カメラ装置に、他の電子カメラ装置と
電気的かつ機械的に結合するコネクタを相互に設け、コネクタ同士を結合させることで、
転送元カメラ装置から転送先カメラ装置に対して、転送すべきデータを自動的に転送させ
ることができるため、操作性を著しく向上させることができるものである。
【００７３】
なお、そのように自動処理されるため、２台のカメラ装置のいずれを転送元とするかあ
るいは転送先とするかをユーザが管理できるようにすることが重要になってくるものであ
り、前述した実施態様の説明においては、結合に際して凸型接続子３０１を用いている装
置を転送元にするとしたが、無論のこと凹型接続子３０２を用いている装置を転送元とし
てもよい。
【００７４】
接続子３０１，３０２で転送元及び転送先カメラ装置を特定する場合、各カメラ装置で
凸型接続子３０１と凹型接続子３０２の両方を同時に使うことを避ける必要があり、その
目的のため、例えば、蓋部材２０５のスライド範囲を、凸型接続子３０１のみが露出する
位置と、凹型接続子３０２のみが露出する位置間に制限するように構成してもよい。
【００７５】
あるいは、凸型接続子３０１と凹型接続子３０２間の機械的間隔を、各カメラ装置間で
異ならせようにしてもよいが、市販のカメラ装置全てを対応させることは困難であり、あ
まり現実的ではない。
【００７６】
なお、転送するデータをユーザが選択できるように構成すれば、細かな対応も可能とな
るものであり、その場合、電子カメラ装置の表示部１０８にユーザが項目を選択可能なメ
ニュー表示を行わせ、操作部１１８で転送したいデータを選択するように構成することも
可能である。
【００７７】
図１０は、データ転送処理を実行するためのメニュー表示の例を示す図であり、例えば
、電子カメラ装置のコネクタ同士を結合させてから、転送元としたい電子カメラ装置の操
作部１１８を操作することで、その表示部１０８に表示させるように構成することができ
る。
【００７８】
ＣＰＵ１１０は、コネクタ同士の結合が検出された段階で両カメラ装置を通信モードに
設定する。次いで、表示部１０８で転送メニューが表示されたカメラ装置を転送元カメラ
装置として特定し、転送先のカメラ装置に対して、転送元カメラ装置を特定する識別情報
を送って、その識別情報に対応する転送履歴情報データを要求する。
【００７９】
転送先カメラ装置は、転送元カメラ装置からの転送履歴情報データの要求を受けて、該
当するデータを転送元カメラ装置に送り返す。このとき、転送先カメラ装置に該当するデ
ータが存在しない場合には、履歴情報がないという情報を送り返す。
【００８０】
転送元カメラ装置は、転送先カメラ装置から送られた履歴情報データを取り込んでＣＰ
Ｕ１１０内のメモリに記憶させる。
【００８１】
また、転送元カメラ装置の表示部１０８にメニュー表示が行われて、転送先カメラ装置
に対して、履歴情報データの要求があったら、転送先カメラ装置は、その表示部１０８に
、図１１に示すように、画面１１０１に画像データ転送待機中である旨の表示１１０２を
行うようにする。
【００８２】
さて、図１０においては、画面１００１に選択項目として「全画像」１００２、「画像
選択」１００３及び「本日撮影した画像」１００４が表示され、斜線で示すカーソル１０
０５を、操作部１１８の例えば十字ボタンで所望の項目に移動させて、決定ボタンを押す
ことで、その項目が選択される。
【００８３】
例えば、「全画像」１００２が選択された場合には、転送元のカメラ装置の記録メディ
アに記録されているデータが転送対象になり、ＣＰＵ１１０は、転送先カメラ装置から送
られて、ＣＰＵ１１０の内部メモリに記憶されている履歴情報に基づいて、記録メディア
１１２に記録されている各データに対して、転送先カメラ装置に転送済か否かの識別を行
い、未転送のデータを転送先カメラ装置に転送する。  
このとき、転送先カメラ装置では、送られたデータを全て記録メディア１１２に記録さ
せる。
【００８４】
以上によって、転送元カメラ装置の記録メディアに記録されているデータのうち、転送
先カメラ装置に未転送のデータのみを、新規に転送先カメラ装置に転送して記録させるこ
とができるものである。
【００８５】
なお、データの転送が終了した後、ＣＰＵ１１０の内部メモリに記憶されている転送履
歴情報データに対して、新たな転送してデータを追加して転送履歴情報データを更新し、
転送元カメラ装置の特定情報と共に、転送先カメラ装置ｉに転送してそれを記録させる。
また、転送履歴がない場合には、新規に転送情報データを生成して、転送元カメラ装置の
特定情報と共に、転送先カメラ装置に転送してそれを記録させる。
【００８６】
次に、図１０のメニューの「画像選択」１００３が選択された場合には、ＣＰＵ１１０
は、記録メディア１１２に記録されているデータのリストを表示部１０８で表示させる。
この際、ＣＰＵ１１０の内部メモリに記憶されている履歴データに基づき、転送済のデー
タについては、表示する際に、例えば特定の符号を付して、そのデータについては、転送
できないようにしたり、あるいは、表示そのものを行わないように構成することができる
。
【００８７】
ユーザは、表示部１０８に表示されたリストから、未転送のデータを確認して、転送し
たいデータを例えばカーソルと、決定ボタンで選択することで、そのデータを転送先カメ
ラ装置に転送させることができるものである。  
この場合も、転送が完了した後で、履歴情報の更新あるいは新規登録が行われる。
【００８８】
次に、図１０の「本日撮影した画像」１００４が選択された場合には、ＣＰＵ１１０は
、まず、記録メディア１１２に記録されているデータのうち、本日撮影されたデータを特
定する。撮影された日時は、例えばＥｘｉｆ基づいて、ファイルに付される情報から特定
可能であり、ＣＰＵ１１０は自らの内部時計の年月日と、記録メディア１１２に記録され
ているデータの日付とを比較することで本日撮影されたデータを特定することが可能であ
る。
【００８９】
本日撮影されたデータを特定した後、ＣＰＵ１１０はさらに、内部メモリに記憶されて
いる履歴情報と比較して、転送済のデータがあるか否か識別し、未転送のデータを転送先
カメラ装置に転送する。対象となる全てのデータの転送が完了したら、この場合も、転送
先カメラ装置に保存されている履歴情報データを更新するか、あるいは転送元カメラ装置
で新規に履歴情報データを作成して、転送先カメラ装置に送って保存させる。
【００９０】
図１２は、以上説明したメニュー画面を用いた処理手順を改めて説明するためのフロー
チャートである。
【００９１】
図１２において、ステップＳ１２０１で開始され、ステップＳ１２０２で、２台のカメ
ラ装置のコネクタ１１７が互いに結合されたか否かの判定がなされ、検出されたら、ステ
ップＳ１２０３でコネクタ１１７で接続された２台の装置をそれぞれ通信モードに設定す
る。
【００９２】
次いで、ステップＳ１２０４で、ユーザから転送処理メニュー表示の要求があったか否
かが判定され、要求があった場合、ステップＳ１２０５で、転送処理メニュー表示要求の
あった装置を転送元装置とし、相手を転送先装置として特定して、転送元装置の表示部に
処理メニューを表示すると共に、転送先装置の表示部に転送待機中である旨のメッセージ
を表示する。さらに、転送元装置から転送先装置に対して、転送元装置固有の転送履歴デ
ータを要求する。
【００９３】
次いで、ステップＳ１２０６で、転送先装置から送られる転送元装置の転送履歴データ
または、転送履歴なしのデータを転送元装置内に記憶させる。
【００９４】
次いで、ステップＳ１２０７で、ステップＳ１２０５で表示されたメニューから項目が
選択されたか否かの判定がなされ、選択されたと判定されたら、ステップＳ１２０８で、
選択された項目毎に、記憶された履歴データまたは履歴なしデータに基づき、転送対象と
するデータを特定して送信先装置に転送する。すなわち、未転送のデータを転送する。
【００９５】
次いで、転送元装置から転送先装置への転送が終了したか否かの判定がなされ、データ
転送が完了したと判定されたら、ステップＳ１２１０で、転送元装置に記憶された履歴デ
ータを更新するか、あるいは新規に生成して転送先装置に転送して記録させ、ステップＳ
１２１１で処理を終了する。
【００９６】
以上のように図１０〜図１２で示した実施の形態によれば、転送処理を行うためのメニ
ューを表示させて、そのメニューに基づいて、転送すべきデータを特定するようにしたの
で、データの転送をより確実にかつ簡単に実行できるようになるものである。
【００９７】
なお、以上説明した、実施の形態では、コネクタで結合する２台の電子カメラ装置を、
その内部構成が全く同じものとして説明したが、互いに結合可能なコネクタを供えた装置
同士であれば、データの転送を実行することができるものであり、内部の構成が異なる装
置であっても本発明は適用できるものである。
【００９８】
２台の機器を電気的かつ機械的に結合する手段としてコネクタを用いるものとして説明
したが、他の同様の機能を有する手段でも実現可能である。
【００９９】
以上のように本発明によれば、電子機器を電気的かつ機械的に結合する手段で結合する
ことで、一方の電子カメラの記録メディアに記録されたデータを他方の電子カメラの記録
メディアに転送することができるため、簡単にかつ確実にデータを他の記録メディアにコ
ピーすることができるものである。
【図面の簡単な説明】
【０１００】
【図１】本発明に係る電子機器の一実施の形態を示す回路ブロック図。
【図２】本発明に係る電子機器の一実施の形態の外観を示す斜視図。
【図３】図２に示す装置の構成を説明するための図。
【図４】図２に示す装置の要部の構成を説明するための図。
【図５】図２に示す装置の要部の構成を説明するための図。
【図６】図２に示す装置の要部の構成を説明するための図。
【図７】図２に示す装置の要部の構成を説明するための図。
【図８】本発明の電子機器のデータ転送システムの一実施の形態を説明するための図。
【図９】図８に示すシステムの動作を説明するためのフローチャート。
【図１０】本発明に係るシステムの他の実施の形態の動作を説明するための図。
【図１１】本発明に係るシステムの他の実施の形態の動作を説明するための図。
【図１２】本発明に係る電子カメラシステムの他の実施の形態の動作を説明するためのフローチャート。
【符号の説明】
【０１０１】
１００…電子カメラ装置
１０１…光学系
１０２…ＣＣＤ撮像部
１０３…Ａ／Ｄ変換部
１０４…ＣＣＤ信号処理部
１０５…メモリコントローラ
１０６…ワークメモリ
１０７…画像処理部
１０８… 表示部
１０９…画像圧縮／伸張処理部
１１０…ＣＰＵ
１１１…記録メディアＩ／Ｆ
１１２…記録メディア
１１３…音声入出力処理部
１１４…マイク
１１５…スピーカ
１１６…カメラ接続Ｉ／Ｆ
１１７…コネクタ
１１８…操作部
【図１】
2005318260.tif 000003
【図２】
2005318260.tif 000004
【図３】
2005318260.tif 000005
【図４】
2005318260.tif 000006
【図５】
2005318260.tif 000007
【図６】
2005318260.tif 000008
【図７】
2005318260.tif 000009
【図８】
2005318260.tif 000010
【図９】
2005318260.tif 000011
【図１０】
2005318260.tif 000012
【図１１】
2005318260.tif 000013
【図１２】
2005318260.tif 000014